(57)【要約】【課題】複数のユーザに同一の放送信号光が同報される場合であっても、視聴可能な放送番組をユーザごとに設定することの可能な放送信号処理装置を提供する。【解決手段】受信部１０１は、周波数がそれぞれ異なる複数の放送信号を受信する。信号レベル調節部１０３は、各放送信号を増幅または減衰させて出力する。制御部１０４は、各放送信号に対する増幅または減衰を指示する制御情報を取得し、取得した制御情報に基づいて、信号レベル調節部１０３が増幅する放送信号の増幅周波数、および信号レベル調節部１０３が減衰させる放送信号の減衰周波数を設定する。【選択図】図３
2014042208.tif 000002
【特許請求の範囲】
【請求項１】
周波数がそれぞれ異なる複数の放送信号を受信する受信部と、
各放送信号を増幅または減衰させて出力する信号レベル調節部と、
各放送信号に対する増幅または減衰を指示する制御情報を取得し、前記制御情報に基づいて、前記信号レベル調節部が増幅する放送信号の増幅周波数、および前記信号レベル調節部が減衰させる放送信号の減衰周波数を設定する制御部と、を備える放送信号処理装置。
【請求項２】
前記制御情報は、視聴を許可した放送番組を示す放送信号の周波数である選択周波数を含み、
前記制御部は、前記選択周波数を前記増幅周波数として設定し、前記選択周波数以外の周波数を前記減衰周波数として設定する、請求項１に記載の放送信号処理装置。
【請求項３】
前記放送信号処理装置は、前記制御情報を含む通信信号と前記放送信号とが多重化された波長多重信号光を前記通信信号および前記放送信号に分波する分波装置と、前記分波装置にて分波された通信信号から前記制御情報を抽出する通信信号処理装置とに接続され、
前記受信部は、前記分波装置にて分波された放送信号を受信し、
前記制御部は、前記通信信号処理装置にて抽出された制御情報を取得する、請求項１または２に記載の放送信号処理装置。
【請求項４】
前記受信部は、前記制御情報を含む通信信号および前記放送信号が多重化された波長多重信号光を受信し、当該波長多重信号光を前記通信信号および前記放送信号に分波し、
前記制御部は、前記受信部が分波した通信信号から前記制御情報を取得する、請求項１または２に記載の放送信号処理装置。
【請求項５】
周波数がそれぞれ異なる複数の放送信号を複数の放送信号処理装置に向けて同報する配信部と、
各放送信号に対する増幅または減衰を指示する制御情報を含む通信信号を送信する通信部と、
を備える放送信号送信装置と、
前記放送信号を受信する受信部と、
各放送信号を増幅または減衰させて出力する信号レベル調節部と、
前記制御情報を取得し、取得した制御情報に基づいて、前記信号レベル調節部が放送信号を増幅する増幅周波数、および前記信号レベル調節部が放送信号を減衰させる減衰周波数を設定する制御部と、
を備える放送信号処理装置と、を含む、放送信号配信システム。
【請求項６】
前記放送信号送信装置は、前記放送信号および前記通信信号を多重化した波長多重信号光を出力する多重化部、をさらに備え、
前記放送信号処理装置は、前記波長多重信号光を受信して前記放送信号および前記通信信号に分波する分波部、をさらに備え、
前記受信部は、前記分波部にて分波された放送信号を受信する、請求項５に記載の放送信号配信システム。
【請求項７】
周波数がそれぞれ異なる複数の放送信号を受信し、
各放送信号を増幅または減衰させて出力し、
各放送信号に対する増幅または減衰を指示する制御情報を取得し、
前記制御情報に基づいて、前記放送信号を増幅する増幅周波数および前記放送信号を減衰させる減衰周波数を設定する、放送信号処理方法。
【発明の詳細な説明】
【技術分野】
【０００１】
本発明は、放送信号処理装置、放送信号配信システム、および放送信号処理方法に関する。
【背景技術】
【０００２】
放送番組は、公共の電波を利用して放送波として伝送されていた。公共の電波は、誰でも受信することができるため、視聴契約を結んだユーザのみに放送番組を提供する有料放送の場合、波形を乱す暗号（スクランブル）がかけられた状態で放送波を伝送し、視聴契約を結んでいないユーザには放送番組を視聴されないようにしている。視聴契約を結んだユーザは、放送波の暗号を解除するためのデコーダを用いて、受信した放送波の暗号を解除することで、放送番組を視聴することができる。このため有料放送を視聴しようとするユーザは、デコーダを用意する必要があり、デコーダを用意するためにかかる手間および費用は、ユーザが有料放送の視聴契約を結ぶことを躊躇する要因の一つとなっていた。
【０００３】
これに対して近年、光ファイバを用いて放送番組を信号光として伝送する技術が提案されている。例えば特許文献１には、通信データを伝送する通信信号と共に、通信信号の波長とは異なる波長の光信号である放送信号を伝送する配信システムが開示されている。この配信システムでは、１つの通信事業者側の光回線終端装置であるＯＬＴ（Ｏｐｔｉｃａｌ  Ｌｉｎｅ  Ｔｅｒｍｉｎａｌ）と複数のユーザ側の光回線終端装置であるＯＮＵ（Ｏｐｔｉｃａｌ  Ｎｅｔｗｏｒｋ  Ｕｎｉｔ）とがスプリッタを介して互いに接続されている。そして、同じＯＬＴと接続される複数のＯＮＵに対して、同一の信号光が同報される。
【０００４】
この配信システムは、デコーダなどの特別な機器を用いないため、ユーザが有料放送の視聴を開始するためにかかる手間および費用を低減することができる。
【先行技術文献】
【特許文献】
【０００５】
【特許文献１】特開２００６−３３０４４号公報
【発明の概要】
【発明が解決しようとする課題】
【０００６】
しかしながら、特許文献１に記載の配信システムでは、同じＯＬＴと接続された複数のＯＮＵに対して同一の信号光が同報されるため、視聴契約を結んだ全てのユーザに対して同じ放送番組が配信されることになる。また、放送信号を伝送する配信システムだけでは、視聴可能な放送番組をユーザごとに設定することができなかった。
【０００７】
これらにより、特定の放送番組だけを視聴したいユーザであっても、全ての放送番組を視聴するための視聴料金を支払わなければならないという問題があった。
【０００８】
本発明の目的は、複数のユーザに同一の放送信号光が同報される場合であっても、視聴可能な放送番組をユーザごとに設定することの可能な放送信号処理装置、放送信号配信システム、および放送信号処理方法を提供することである。
【課題を解決するための手段】
【０００９】
本発明による放送信号処理装置は、周波数がそれぞれ異なる複数の放送信号を受信する受信部と、各放送信号を増幅または減衰させて出力する信号レベル調節部と、各放送信号に対する増幅または減衰を指示する制御情報を取得し、前記制御情報に基づいて、前記信号レベル調節部が増幅する放送信号の増幅周波数、および前記信号レベル調節部が減衰させる放送信号の減衰周波数を設定する制御部と、を有する。
【００１０】
本発明による放送信号配信システムは、周波数がそれぞれ異なる複数の放送信号を複数の放送信号処理装置に向けて同報する配信部と、各放送信号に対する増幅または減衰を指示する制御情報を含む通信信号を送信する通信部と、を備える放送信号送信装置と、前記放送信号を受信する受信部と、各放送信号を増幅または減衰させて出力する信号レベル調節部と、前記制御情報を取得し、取得した制御情報に基づいて、前記信号レベル調節部が増幅する放送信号の増幅周波数、および前記信号レベル調節部が減衰させる放送信号の減衰周波数を設定する制御部と、を備える放送信号処理装置と、を含む。
【００１１】
本発明による放送信号処理方法は、周波数がそれぞれ異なる複数の放送信号を受信し、各放送信号を増幅または減衰させて出力し、各放送信号に対する増幅または減衰を指示する制御情報を取得し、前記制御情報に基づいて、前記放送信号を増幅する増幅周波数および前記放送信号を減衰させる減衰周波数を設定する。
【発明の効果】
【００１２】
本発明によれば、ユーザ側の複数の放送信号処理装置に同一の信号光が同報される場合であっても、視聴可能な放送番組をユーザごとに設定することが可能になる。
【図面の簡単な説明】
【００１３】
【図１】本発明の第１の実施形態にかかる放送信号配信システムの構成を示すブロック図である。
【図２】図１の放送信号配信システムの詳細な構成を示すブロック図である。
【図３】図２の放送信号配信システム内のＶ＋Ｄ−ＯＮＵの構成の一例を示すブロック図である。
【図４】図２の放送信号配信システム内のＶ＋Ｄ−ＯＮＵの動作例を説明するためのフローチャートである。
【図５】図２の放送信号配信システム内のＶ＋Ｄ−ＯＮＵの構成の他の一例を示すブロック図である。
【図６】本発明の第２の実施形態にかかる放送信号配信システムの構成を示すブロック図である。
【図７】図６のＤ−ＯＮＵおよびＶ−ＯＮＵの構成の一例を示すブロック図である。
【発明を実施するための形態】
【００１４】
以下、本発明の実施形態について添付の図面を参照して説明する。なお、本明細書および図面において、同一の機能を有する構成要素については同じ符号を付することにより重複説明を省略する場合がある。
【００１５】
なお、本明細書および図面において、ユーザ側の光回線終端装置ＯＮＵのうち、放送信号を受信し、受信した放送信号を電気信号に変換する機能を有する放送用光回線終端装置をＶ−ＯＮＵと称し、通信信号を受信し、受信した通信信号を電気信号に変換する機能を有するデータ通信用光回線終端装置をＤ−ＯＮＵと称して区別する。また放送信号を受信し、受信した放送信号を電気信号に変換する機能と、通信信号を受信し、受信した通信信号を電気信号に変換する機能とを有する光回線終端装置を、Ｖ＋Ｄ−ＯＮＵと称する。
【００１６】
図１は、本発明の第１の実施形態にかかる放送信号配信システムの構成を示すブロック図である。
【００１７】
図１に示す放送信号配信システム１０は、通信事業者側システム１１とユーザ側システム１２とを含む。放送信号配信システム１０において、１つの通信事業者側システム１１は、複数のユーザ側システム１２と、スプリッタ１５を介して光伝送路で接続される。このような１つの通信事業者側システム１１に複数のユーザ側システム１２が接続されるＰｏｉｎｔ  ｔｏ  Ｍｕｌｔｉ−ｐｏｉｎｔ型光アクセスシステムは、ＰＯＮ（Ｐａｓｓｉｖｅ  Ｏｐｔｉｃａｌ  Ｎｅｔｗｏｒｋ）システムと呼ばれる。
【００１８】
ＰＯＮシステムは、通信事業者側システム１１、および通信事業者側システム１１からスプリッタ１５までの光伝送路を複数のユーザ側システム１２で共有するため、ユーザ側システム１２当たりのコストを下げることができる。
【００１９】
スプリッタ１５は、信号光を物理的に分割または合流させるだけで、論理的な処理は行われない。このため、通信事業者側システム１１からユーザ側システム１２に向かう下り信号光は、通信事業者側システム１１と接続される複数のユーザ側システム１２に同報される。
【００２０】
ここで図１に示した放送信号配信システム１０のより詳細な構成について説明する。図２は、図１の放送信号配信システムの詳細な構成を示すブロック図である。なお図２には、簡単のために、１つのユーザ側システム１２部分のみを示したが、実際には図１に示したように、１つの通信事業者側システム１１には、複数のユーザ側システム１２が接続されている。
【００２１】
図２に示す放送信号配信システム１０−１は、通信事業者側システム１１とユーザ側システム１２−１とを含む。なお放送信号配信システム１０−１は、図１の放送信号配信システム１０の詳細な構成の一例であり、ユーザ側システム１２−１は、図１のユーザ側システム１２の詳細な構成の一例である。
【００２２】
通信事業者側システム１１は、ＦＴＴＨ（Ｆｉｂｅｒ  Ｔｏ  Ｔｈｅ  Ｈｏｍｅ）用ＣＡＴＶ（ＣＡｂｌｅ  ＴｅｌｅＶｉｓｉｏｎ）システム５１０と、ＰＯＮ（Ｐａｓｓｉｖｅ  Ｏｐｔｉｃａｌ  Ｎｅｔｗｏｒｋ）システム５２０と、ＷＤＭ（Ｗａｖｅｌｅｎｇｔｈ  Ｄｉｖｉｓｉｏｎ  Ｍｕｌｔｉｐｌｅｘｉｎｇ：波長分割多重）部５３０とを有し、ユーザ側システム１２−１は、Ｖ＋Ｄ−ＯＮＵ１００と、ＴＶ（ＴｅｌｅＶｉｓｉｏｎ）５０と、ＰＣ（Ｐｅｒｓｏｎａｌ  Ｃｏｍｐｕｔｅｒ）６０とを有する。
【００２３】
ＦＴＴＨ用ＣＡＴＶシステム５１０は、複数のユーザ側システム１２に向けて、周波数がそれぞれ異なる複数の放送信号を配信する配信部の一例である。ＦＴＴＨ用ＣＡＴＶシステム５１０は、配信する放送信号をＷＤＭ部５３０に入力する。またＦＴＴＨ用ＣＡＴＶシステム５１０は、各ユーザ側システム１２のユーザの視聴契約の内容を示す契約情報を格納する。ＦＴＴＨ用ＣＡＴＶシステム５１０は、各ユーザに対する契約情報に応じて、各ユーザ側システム１２に視聴を許可する番組を示す放送信号の周波数（以下、選択周波数と称する。）および当該ユーザ側システム１２を識別するための識別情報をＰＯＮシステム５２０に入力する。
【００２４】
例えば、ＦＴＴＨ用ＣＡＴＶシステム５１０は、各ユーザ側システム１２のユーザに視聴を許可する番組に変化が生じたときに、選択周波数および識別情報をＰＯＮシステム５２０に入力する。なおユーザが番組単位で視聴契約を結んだ場合、ＦＴＴＨ用ＣＡＴＶシステム５１０は、選択周波数および識別情報に加えて、対象となる放送番組を放送する放送時間帯を示す番組時間帯情報をＰＯＮシステム５２０に入力する。本実施形態では、番組時間帯情報は、放送時間帯として、放送番組の放送を開始する番組開始時刻と、放送番組の放送を終了する番組終了時刻とを示すものとする。
【００２５】
ＰＯＮシステム５２０は、複数のユーザ側システム１２に向けてＦＴＴＨ用ＣＡＴＶシステム５１０が配信する各放送信号に対する増幅または減衰を指示する制御情報を生成する。制御情報は、ＦＴＴＨ用ＣＡＴＶシステム５１０から入力された選択周波数および識別情報を含む。なお、制御情報は、選択周波数の信号に対する増幅を指示する情報であり、選択周波数以外の周波数の信号に対する減衰を指示する情報である。本実施形態では、ＰＯＮシステム５２０は、選択周波数のリストを含む制御情報を生成する。
【００２６】
ＰＯＮシステム５２０は、ＦＴＴＨ用ＣＡＴＶシステム５１０から選択周波数および識別情報が入力されると、入力された選択周波数および識別情報を含む制御情報を生成し、生成した制御情報を含む通信信号を生成する。そしてＰＯＮシステム５２０は、生成した各通信信号に宛先情報を付加してＷＤＭ部５３０に入力する。ここで宛先情報は、各ユーザ側システム１２を識別するための情報である。ＰＯＮシステム５２０にて生成された通信信号は、同一のＰＯＮシステム５２０と接続される全てのユーザ側システム１２に対して同報される。そして、各ユーザ側システム１２が、宛先情報に基づいて、自分宛の通信信号のみを抽出する。
【００２７】
なおＰＯＮシステム５２０は、例えばＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ．）８０２．３ａｈに規定されるＯＡＭ（Ｏｐｅｒａｔｉｏｎ，Ａｄｍｉｎｉｓｔｒａｔｉｏｎ，ａｎｄ  Ｍａｉｎｔｅｎａｎｃｅ）フレームを用いて、制御情報を伝送する。また、ユーザが番組単位で視聴契約を結んだ場合、ＰＯＮシステム５２０は、ＦＴＴＨ用ＣＡＴＶシステム５１０から番組時間帯情報を入力される。このときＰＯＮシステム５２０は、番組開始時刻および番組終了時刻にそれぞれ制御情報を生成し、制御情報を含む通信信号をＷＤＭ部５３０に入力する。
【００２８】
ＷＤＭ部５３０は、ＦＴＴＨ用ＣＡＴＶシステム５１０から入力された放送信号と、ＰＯＮシステム５２０から入力された通信信号とを多重化した波長多重信号光を生成し、生成した波長多重信号光を光伝送路に出力することで、複数のユーザ側システム１２−１に同報する。
【００２９】
Ｖ＋Ｄ−ＯＮＵ１００は、放送信号を受信し、放送信号を電気信号に変換する機能と、通信信号を受信し、通信信号を電気信号に変換する機能とを有する光回線終端装置である。Ｖ＋Ｄ−ＯＮＵ１００は、光伝送路を介して伝送された波長多重信号光を受信し、波長多重信号光を分波して放送信号および通信信号を取り出し、取り出した放送信号および通信信号をそれぞれ電気信号に変換する。またＶ＋Ｄ−ＯＮＵ１００は、ＴＶ５０およびＰＣ６０とそれぞれ接続され、放送信号をＴＶ５０に入力するとともに、通信信号をＰＣ６０に入力する。
【００３０】
ＴＶ５０は、Ｖ＋Ｄ−ＯＮＵ１００から入力された放送信号に含まれる映像を表示し、当該放送信号に含まれる音声信号を音声として出力する出力装置である。またＰＣ６０は、Ｖ＋Ｄ−ＯＮＵ１００を介して通信信号を送受信し、インターネット（図示せず）と接続する端末装置である。
【００３１】
次にＶ＋Ｄ−ＯＮＵ１００の詳細な構成の一例について説明する。図３は、図２のＶ＋Ｄ−ＯＮＵの構成の一例を説明するための説明図である。
【００３２】
図３に示すＶ＋Ｄ−ＯＮＵ１００Ａは、図２のＶ＋Ｄ−ＯＮＵ１００の詳細な構成の一例であり、ＷＤＭ部１０１と、トランシーバ１０２と、信号レベル調節回路１０３と、制御回路１０４とを有する。
【００３３】
ＷＤＭ部１０１は、光伝送路と接続され、光伝送路を介して制御情報を含む通信信号および放送信号が多重化された波長多重信号光を受信し、受信した波長多重信号光を放送信号および通信信号に分波する。そしてＷＤＭ部１０１は、放送信号および通信信号をトランシーバ１０２に入力する。なお本実施形態においてＷＤＭ部１０１は、周波数がそれぞれ異なる複数の放送信号を、通信信号と多重化された波長多重信号光として受信し、当該波長多重信号光を通信信号および放送信号に分波する受信部の一例である。
【００３４】
トランシーバ１０２は、ＷＤＭ部１０１から入力された放送信号および通信信号をそれぞれ電気信号に変換する。そしてトランシーバ１０２は、電気信号に変換した放送信号を信号レベル調節回路１０３に入力し、電気信号に変換した通信信号を制御回路１０４に入力する。
【００３５】
信号レベル調節回路１０３は、各放送信号を増幅または減衰させて出力する信号レベル調節部の一例である。信号レベル調節回路１０３は、設定された増幅周波数および減衰周波数に基づいて、増幅周波数の放送信号を増幅し、減衰周波数の放送信号を減衰させる。信号レベル調節回路１０３は、増幅または減衰させた各放送信号をＴＶ５０に入力する。
【００３６】
制御回路１０４は、制御情報を取得し、取得した制御情報に基づいて、増幅周波数および減衰周波数を信号レベル調節回路１０３に設定する制御部の一例である。具体的には、制御回路１０４は、通信信号に付加された宛先情報を参照し、当該Ｖ＋Ｄ−ＯＮＵ１００Ａ宛ての通信信号を抽出して取り出す。そして制御回路１０４は、この通信信号に制御情報が含まれているか否かを判断し、制御情報が含まれている場合、通信信号から制御情報を取得する。また制御回路１０４は、取得した制御情報に含まれる選択周波数を増幅周波数に設定し、選択周波数以外の周波数を減衰周波数に設定する。本実施形態では、制御情報は選択周波数のリストであり、制御回路１０４は、最新の選択周波数のリストと、増幅周波数とが一致するように、増幅周波数および減衰周波数を設定する。
【００３７】
なおここでは簡単のため、放送番組の配信に関わる部分のみを示し、通信事業者側システム１１から信号光を受信する場合についてのみ説明したが、実際にはＶ＋Ｄ−ＯＮＵ１００Ａは、通信信号を通信事業者側システム１１から受信するとともに、ＰＣ６０などの端末装置から受け取った通信信号を通信事業者側システム１１に送信することもできる。
【００３８】
次に、Ｖ＋Ｄ−ＯＮＵ１００の動作の一例について説明する。図４は、本実施形態にかかるＶ＋Ｄ−ＯＮＵの動作の一例について説明するためのフローチャートである。
【００３９】
まずＷＤＭ部１０１は、光伝送路を介して、通信事業者側システム１１から波長多重信号光を受信する（ステップＳ１００）。そしてＷＤＭ部１０１は、受信した波長多重信号光を分波し、分波光である放送信号および通信信号を出力する（ステップＳ１０５）。
【００４０】
トランシーバ１０２は、ＷＤＭ部１０１から出力された分波光を受け付け、電気信号に変換する。トランシーバ１０２は、電気信号に変換した放送信号を信号レベル調節回路１０３に入力し、電気信号に変換した通信信号を制御回路１０４に入力する（ステップＳ１１０）。
【００４１】
制御回路１０４は、入力された通信信号が制御情報を含むか否かを判断する（ステップＳ１１５）。通信信号が制御情報を含む場合、制御回路１０３は、制御情報に基づいて、信号レベル調節回路１０４に設定された増幅周波数および減衰周波数を変更する（ステップＳ１２０）。一方、通信信号が制御情報を含まない場合、ステップＳ１２０の処理は省略される。
【００４２】
そして信号レベル調節回路１０３は、設定された増幅周波数の放送信号を増幅し、減衰周波数の放送信号を減衰させる（ステップＳ１２５）。
【００４３】
信号レベル調節回路１０３は、各放送信号を増幅または減衰させることで信号レベルを調節した放送信号をＴＶ５０に入力する（ステップＳ１３０）。なおＴＶ５０は、選択されたチャンネルに応じて放送信号を出力する。ここで、信号レベル調節回路１０３にて増幅された放送信号に対応するチャンネルが選択されたときには、ＴＶ５０から出力された放送信号は、ユーザが視聴可能な状態となり、信号レベル調節回路１０３にて減衰された放送信号に対応するチャンネルが選択されたときには、ＴＶ５０から出力された放送信号は、ユーザが視聴することができない状態となる。
【００４４】
次に、Ｖ＋Ｄ−ＯＮＵ１００の構成の他の一例について説明する。図５は、図２のＶ＋Ｄ−ＯＮＵの構成の他の一例を説明するための説明図である。
【００４５】
図５に示すＶ＋Ｄ−ＯＮＵ１００Ｂは、図２のＶ＋Ｄ−ＯＮＵ１００の詳細な構成の他の一例であり、トランシーバ１１１と、フラッシュメモリ１１２と、ＰＯＮ−ＬＳＩ１１３と、制御部１１４と、ＲＦ（Ｒａｄｉｏ  Ｆｒｅｑｕｅｎｃｙ）部１１５と、ＬＥＤ（Ｌｉｇｈｔ  Ｅｍｉｔｔｉｎｇ  Ｄｉｏｄｅ）１１６と、Ｅｔｈｅｒｎｅｔ（登録商標）ＰＨＹ１１７と、トランス１１８と、電源部１１９と、を有する。
【００４６】
トランシーバ１１１は、光伝送路と接続され、光伝送路を介して制御情報を含む通信信号および放送信号が多重化された波長多重信号光を受信する。なおトランシーバ１１１は、ＷＤＭフィルタを内蔵し、受信した波長多重信号光を通信信号および放送信号に分波する。そしてトランシーバ１１１は、分波した通信信号および放送信号をそれぞれ電気信号に変換する。そしてトランシーバ１１１は、電気信号に変換した通信信号をＰＯＮ−ＬＳＩ１１３に入力し、電気信号に変換した放送信号をＲＦ部１１５に入力する。なお本実施形態において、トランシーバ１１１は、周波数がそれぞれ異なる複数の放送信号を、通信信号と多重化された波長多重信号光として受信し、当該波長多重信号光を通信信号および放送信号に分波する受信部の一例である。
【００４７】
またトランシーバ１１１は、ユーザ側システム１２から信号光を送信する場合、ＰＯＮ−ＬＳＩ１１３を介してＰＣ６０から入力された通信信号を電気信号から光信号に変換し、通信事業者側システム１１のＰＯＮシステム５２０に向けて送信する。
【００４８】
フラッシュメモリ１１２は、データを格納する記憶装置である。フラッシュメモリ１１２は、例えばＶ＋Ｄ−ＯＮＵ１００Ｂを識別するための固有情報を格納する。
【００４９】
ＰＯＮ−ＬＳＩ１１３は、Ｖ＋Ｄ−ＯＮＵ１００ＢのＰＯＮ機能を制御する。ＰＯＮ−ＬＳＩ１１３は、トランシーバ１１１を介してＰＯＮシステム５２０と通信信号の送受信を行う。またＰＯＮ−ＬＳＩ１１３は、トランシーバ１１１から通信信号を入力された場合、通信信号に制御情報が含まれるか否かを判断する。そして通信信号に制御情報が含まれる場合、ＰＯＮ−ＬＳＩ１１３は、通信信号から制御情報を取り出して制御部１１４に入力する。
【００５０】
制御部１１４は、ＲＦ部１１５、ＬＥＤ１１６、およびトランシーバ１１１を制御する。例えば制御部１１４は、ＰＯＮ−ＬＳＩ１１３から入力された制御情報を受け付けることで制御情報を取得し、取得した制御情報に基づいてＲＦ部１１５の増幅周波数および減衰周波数を設定する。また制御部１１４は、ＬＥＤ１１６の点灯制御を行い、トランシーバ１１１の動作を監視して異常を検出する。
【００５１】
ＲＦ部１１５は、トランシーバ１１１から入力された放送信号を増幅または減衰させることで放送信号の信号レベルを調節する信号レベル調節部の一例である。ＲＦ部１１５は、制御部１１４から設定された増幅周波数および減衰周波数に基づいて、放送信号の信号レベルを調節する。具体的には、ＲＦ部１１５は、設定された増幅周波数の放送信号を増幅し、減衰周波数の放送信号を減衰させる。
【００５２】
ＬＥＤ１１６は、制御部１１４の制御に従って点灯する。例えばＬＥＤ１１６の点灯状態は、Ｖ＋Ｄ−ＯＮＵ１００Ｂの電源投入状態、放送信号の入力状態、通信信号の入力状態、認証状態、各ポートの接続状態などを示す。
【００５３】
ＥｔｈｅｒｎｅｔＰＨＹ１１７は、電気信号と論理信号との変換を行うインタフェースである。ＥｔｈｅｒｎｅｔＰＨＹ１１７は、ＰＯＮ−ＬＳＩ１１３から通信信号が入力された場合、通信信号をトランス１１８に入力し、トランス１１８から通信信号が入力された場合、通信信号をＰＯＮ−ＬＳＩ１１３に入力する。
【００５４】
トランス１１８は、通信信号の変圧を行う。トランス１１８は、ＥｔｈｅｒｎｅｔＰＨＹ１１７から通信信号が入力された場合、通信信号を変圧してＬＡＮケーブルに入力し、ＬＡＮケーブルから通信信号が入力された場合、通信信号を変圧してＥｔｈｅｒｎｅｔＰＨＹ１１７に入力する。
【００５５】
電源部１１９は、ＡＣアダプタ１２０と接続され、外部電源から入力された電力を電圧変換してＶ＋Ｄ−ＯＮＵ１００Ｂに供給する。ＡＣアダプタ１２０が一般家庭用電源から交流１００Ｖの電力を直流１２Ｖの電力に変換すると、電源部１１９は、直流１２Ｖの電力から５Ｖ、３．３Ｖ、または１．２Ｖの電力を生成し、Ｖ＋Ｄ−ＯＮＵ１００Ｂの各部に供給する。
【００５６】
以上説明したように本実施形態によれば、周波数がそれぞれ異なる複数の放送信号を受信し、受信した各放送信号に対する増幅または減衰を指示する制御情報を取得する。そして取得した制御情報に基づいて、放送信号が増幅または減衰され、信号レベルが調節された放送信号が出力される。このため、ユーザは増幅された放送信号が示す放送番組だけを視聴することができるので、複数のユーザに同一の放送信号が同報される場合であっても、視聴可能な放送番組をユーザごとに設定することが可能になる。
【００５７】
また、本実施形態では、制御情報は、視聴を許可した放送信号の周波数である選択周波数を含み、選択周波数の放送信号は増幅され、選択周波数以外の周波数の放送信号は減衰されて出力される。このため、視聴を許可した放送信号を確実に視聴可能とすることができる。
【００５８】
また、本実施形態では、制御情報を含む通信信号と放送信号とが多重化された波長多重信号光を受信し、受信した波長多重信号光を分波し、分波光である通信信号から制御情報が取得される。これにより、放送信号と制御情報とを同時に取得することができるので、制御情報を適切なタイミングで取得することができ、視聴可能な放送番組の設定を適切なタイミングで行うことができる。
【００５９】
次に、本発明の第２の実施形態について説明する。図６は、本発明の第２の実施形態にかかる放送信号配信システムの構成を説明するための説明図である。
【００６０】
図６に示す放送信号配信システム１０−２は、図１に示した放送信号配信システム１０の詳細な構成の他の一例であり、通信事業者側システム１１とユーザ側システム１２−２とを含む。通信事業者側システム１１は、ＦＴＴＨ用ＣＡＴＶシステム５１０と、ＰＯＮシステム５２０と、ＷＤＭ部５３０とを有する。また、ユーザ側システム１２−２は、図１のユーザ側システム１２の詳細な構成の他の一例であり、ＷＤＭ部１３０と、Ｄ−ＯＮＵ１４０と、Ｖ−ＯＮＵ１５０と、ＴＶ５０と、ＰＣ６０とを有する。
【００６１】
通信事業者側システム１１の構成については、第１の実施形態と同様であるためここでは説明を省略する。
【００６２】
ＷＤＭ部１３０は、光伝送路と接続され、光伝送路を介して、制御情報を含む通信信号および放送信号が多重化された波長多重信号光を受信し、受信した波長多重信号光を放送信号および通信信号に分波する。そしてＷＤＭ部１３０は、分波した通信信号をＤ−ＯＮＵ１４０に入力し、放送信号をＶ−ＯＮＵ１５０に入力する。なお本実施形態においてＷＤＭ部１３０は、波長多重信号光を通信信号および放送信号に分波する分波装置の一例である。
【００６３】
Ｄ−ＯＮＵ１４０は、ＷＤＭ部１３０から入力された通信信号を受け付け、通信信号を光信号から電気信号に変換した後、ＰＣ６０などの端末装置に出力する通信信号処理装置の一例であり、データ通信用光回線終端装置である。本実施形態では、Ｄ−ＯＮＵ１４０は、制御情報を通信信号から取り出し、Ｖ−ＯＮＵ１５０に入力する。
【００６４】
Ｖ−ＯＮＵ１５０は、ＷＤＭ部１３０から入力された放送信号を受け付け、放送信号を光信号から電気信号に変換した後、ＴＶ５０などの出力装置に出力する放送信号処理装置の一例であり、放送用光回線終端装置である。本実施形態では、Ｖ−ＯＮＵ１５０は、放送信号の信号レベルを周波数ごとに調整して出力する。このときＶ−ＯＮＵ１５０は、Ｄ−ＯＮＵ１４０から入力された制御情報に基づいて、増幅周波数および減衰周波数を調節する。
【００６５】
ここで、Ｄ−ＯＮＵ１４０およびＶ−ＯＮＵ１５０の詳細な構成の一例について説明する。図７は、図６のＤ−ＯＮＵおよびＶ−ＯＮＵの詳細な構成の一例を説明するための構成図である。
【００６６】
図７に示すＤ−ＯＮＵ１４０は、トランシーバ１４１と、ＰＯＮ−ＬＳＩ１４２と、インタフェース１４３と、ＥｔｈｅｒｎｅｔＰＨＹ１４４と、トランス１４５とを有する。またＶ−ＯＮＵ１５０は、トランシーバ１５１と、ＲＦ部１５２と、インタフェース１５３と、制御部１５４とを有する。
【００６７】
トランシーバ１４１は、ＷＤＭ部１３０から入力された通信信号を光信号から電気信号に変換する。そしてトランシーバ１４１は、電気信号に変換した通信信号をＰＯＮ−ＬＳＩ１４２に入力する。
【００６８】
ＰＯＮ−ＬＳＩ１４２は、Ｄ−ＯＮＵ１４０がＰＯＮシステム５２０と接続するためのＰＯＮ機能を制御する。ＰＯＮ−ＬＳＩ１４２は、トランシーバ１４１を介して、ＰＯＮシステム５２０と通信信号の送受信を行う。またＰＯＮ−ＬＳＩ１４２は、トランシーバ１４１から入力された通信信号に制御情報が含まれているか否かを判断し、通信信号に制御情報が含まれている場合、通信信号から制御情報を取り出して、インタフェース１４３から出力する。またＰＯＮ−ＬＳＩ１４２は、トランシーバ１４１から通信信号が入力された場合、通信信号をＥｔｈｅｒｎｅｔＰＨＹ１４４に入力し、ＥｔｈｅｒｎｅｔＰＨＹ１４４から通信信号が入力された場合、通信信号をトランシーバ１４１に入力する。
【００６９】
インタフェース１４３は、Ｖ−ＯＮＵ１５０と接続するための接続インタフェースである。インタフェース１４３は、Ｖ−ＯＮＵ１５０のインタフェース１５３と接続され、制御情報をＶ−ＯＮＵ１５０に向けて出力する。
【００７０】
ＥｔｈｅｒｎｅｔＰＨＹ１４４は、電気信号と論理信号との変換を行うインタフェースである。ＥｔｈｅｒｎｅｔＰＨＹ１４４は、ＰＯＮ−ＬＳＩ１４２から通信信号が入力された場合、通信信号をトランス１４５に入力し、トランス１４５から通信信号が入力された場合、通信信号をＰＯＮ−ＬＳＩ１４２に入力する。
【００７１】
トランス１４５は、通信信号の変圧を行う。トランス１４５は、ＥｔｈｅｒｎｅｔＰＨＹ１４４から通信信号が入力された場合、通信信号を変圧してＬＡＮケーブルに入力し、ＬＡＮケーブルから通信信号が入力された場合、通信信号を変圧してＥｔｈｅｒｎｅｔＰＨＹ１４４に入力する。
【００７２】
トランシーバ１５１は、ＷＤＭ部１３０から入力された放送信号を光信号から電気信号に変換する。そしてトランシーバ１５１は、電気信号に変換した放送信号をＲＦ部１５２に入力する。なお本実施形態において、トランシーバ１５１は、周波数がそれぞれ異なる複数の放送信号を受信する受信部の一例である。
【００７３】
ＲＦ部１５２は、トランシーバ１５１から入力された各放送信号を、設定された増幅周波数および減衰周波数に基づいて、増幅または減衰させることで放送信号の信号レベルを調節する。なお本実施形態においてＲＦ部１５２は、各放送信号を増幅または減衰させて出力する信号レベル調節部の一例である。具体的には、ＲＦ部１５２は、設定された増幅周波数の放送信号を増幅し、減衰周波数の放送信号を減衰させる。ＲＦ部１５２は、信号レベルを調節した放送信号を同軸ケーブルを介してＴＶ５０に入力する。
【００７４】
インタフェース１５３は、Ｄ−ＯＮＵ１４０と接続するための接続インタフェースである。インタフェース１５３は、Ｄ−ＯＮＵ１４０のインタフェース１４３と接続され、制御情報をＤ−ＯＮＵ１４０から受け取る。インタフェース１５３は、受け取った制御情報を制御部１５４に入力する。
【００７５】
制御部１５４は、トランシーバ１５１およびＲＦ部１５２を制御する。制御部１５４は、インタフェース１５３を介して制御情報を取得し、取得した制御情報に基づいて、ＲＦ部１５２に設定された増幅周波数および減衰周波数を変更する。具体的には、制御部１５４は、制御情報に含まれる選択周波数を増幅周波数に設定し、選択周波数以外の周波数を減衰周波数に設定する。また制御部１５４は、トランシーバ１５１の動作を監視して異常を検出する。
【００７６】
なお、Ｄ−ＯＮＵ１４０およびＶ−ＯＮＵ１５０の動作については、図３に示した第１の実施形態にかかるＶ＋Ｄ−ＯＮＵ１００Ａの動作と同様であるため、ここでは詳細な説明を省略する。
【００７７】
以上説明したように本実施形態によれば、制御情報を含む通信信号および放送信号は多重化して伝送され、多重化された信号を分波した通信信号を処理する通信信号処理装置は、通信信号から制御情報を取り出して放送信号処理装置に入力し、放送信号処理装置から入力された制御情報に基づいて、増幅周波数および減衰周波数が設定される。これにより、放送信号を受信する放送信号処理装置と通信信号を受信する通信信号処理装置とが別体の装置であっても、通信信号に含まれる制御情報に基づいて、放送信号が増幅または減衰される。したがって、放送信号処理装置と通信信号処理装置とが別体の装置であっても、視聴可能な放送番組をユーザごとに設定することが可能になる。
【００７８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００７９】
例えば、上記実施形態では、ＰＯＮシステム５２０は、ユーザが番組単位で視聴契約を結んだ場合、番組開始時刻および番組終了時刻にそれぞれ制御情報を生成することとしたが、本発明はかかる例に限定されない。例えば、ＰＯＮシステム５２０は、番組時間帯情報を含む制御情報を生成してもよい。この場合、Ｖ＋Ｄ−ＯＮＵ１００またはＶ−ＯＮＵ１５０の制御部が、放送時間帯の情報に基づいて、番組開始時刻および番組終了時刻にそれぞれ増幅周波数および減衰周波数の設定を変更することで、放送番組ごとに視聴可否を制御することが可能になる。
【００８０】
また上記実施形態では、制御情報は、選択周波数のリストであることとしたが、本発明はかかる例に限定されない。例えば、制御情報は、選択周波数の追加または削除の区分を示す情報を含んでもよい。この場合、制御情報に選択周波数の追加を示す情報が含まれているとき、Ｖ＋Ｄ−ＯＮＵ１００またはＶ−ＯＮＵ１５０の制御部は、選択周波数を増幅周波数に加えるとともに、当該選択周波数を減衰周波数から削除する。
【００８１】
また上記実施形態では、放送信号処理装置は、ＯＮＵ（Ｖ＋Ｄ−ＯＮＵ１００、またはＶ−ＯＮＵ１５０）であることとしたが、本発明はかかる例に限定されない。放送信号処理装置は、ＯＮＵとは別体の装置であってもよい。この場合、放送信号処理装置は、ＯＮＵとＴＶなどの出力装置との間に接続される。
【符号の説明】
【００８２】
１００    Ｖ＋Ｄ−ＯＮＵ（放送信号処理装置）
１０１    ＷＤＭ部（受信部）
１０２    トランシーバ
１０３    信号レベル調節回路（信号レベル調節部）
１０４    制御回路（制御部）
５０      ＴＶ
６０      ＰＣ
５１０    ＦＴＴＨ用ＣＡＴＶシステム
５２０    ＰＯＮシステム
５３０    ＷＤＭ部
【図１】
2014042208.tif 000003
【図２】
2014042208.tif 000004
【図３】
2014042208.tif 000005
【図４】
2014042208.tif 000006
【図５】
2014042208.tif 000007
【図６】
2014042208.tif 000008
【図７】
2014042208.tif 000009